(57)【特許請求の範囲】
【請求項１】
ほぼ方形をなす天板の一つの角部を適宜の形状に切欠き、この切欠部が前方を向くようにして天板の前側の２辺の下面を左右１対の側脚により支持するとともに、天板の後側の２辺が交差する後端の角部の下面を脚柱により支持し、かつ前記左右の側脚と脚柱との間に幕板を取付けてなる配線機能付き机において、
前記脚柱は、後端部が直角形状の角形断面をなし、該後端部の両側面に、左右の幕板の後端が嵌合可能な嵌合溝を設けるとともに、この嵌合溝の奥部に、幕板の後端に突設した拡径頭部が上下方向に摺動可能に係合する係合溝を設け、前記脚柱の前方側は該嵌合溝より前方を向くほぼ角筒形の横断面形状とするとともに、その前端部に、前面が開口する上下方向を向く配線収納部を設け、該配線収納部の前面の開口部に、上下の端部が一部開口するカバー部材を取付けたことを特徴とする配線機能付き机。
【請求項２】
カバー部材の裏面に、左右方向に弾性変形可能な１対の係合片を突設し、この両係合片を配線収納部内の左右の内面又は内面に突設した１対の係止片に弾性係合させることにより、カバー部材を配線収納部の開口部に着脱可能として取付けた請求項１に記載の配線機能付き机。
【発明の詳細な説明】
【０００１】
【発明の属する技術分野】
本発明は、ほぼ方形をなす天板の１つの角部を切欠き、その切欠部を前方に向けて配置される机において、天板の後部側の２辺が交差する角部を支持する脚柱に、配線収納部を設けてなる配線機能付き机に関する。
【０００２】
【従来の技術】
通常の矩形をなす天板における後部側の左右の角部を支持する、円形又は角形断面等の脚柱に、配線溝を設け、天板に設けた配線挿通孔より挿入したＯＡ機器等のコード類を、配線溝を通して下方に配線するようにした机は公知である。
【０００３】
【発明が解決しようとする課題】
しかし、矩形をなす天板の１つの角部を適宜の形状に切欠き、この切欠部を前方に向けて配置するようにした机においては、天板の後部側の２辺が交差する角部は、最後端となり、天板の大きさによっては、角部は前部よりかなり離間する。
【０００４】
そのため、上記天板における後部側の角部を、従来のような円形又は角形断面をなす脚柱により支持し、これに配線溝を設けてコード類を配線しようとすると、天板の下方の奥深くまで潜り込んで配線作業を行わなければならないため、その作業が面倒である。
【０００５】
本発明は、上記問題点を解決するためになされたもので、天板の脚柱が前部より離れた最後端に位置していても、配線作業を容易に行うことができるようにした配線機能付き机を提供することを目的としている。
【０００６】
【課題を解決するための手段】
上記目的を達成するために、本発明の配線機能付き机は、ほぼ方形をなす天板の一つの角部を適宜の形状に切欠き、この切欠部が前方を向くようにして天板の前側の２辺の下面を左右１対の側脚により支持するとともに、天板の後側の２辺が交差する後端の角部の下面を脚柱により支持し、かつ前記左右の側脚と脚柱との間に幕板を取付けてなる配線機能付き机において、前記脚柱は、後端部が直角形状の角形断面をなし、該後端部の両側面に、左右の幕板の後端が嵌合可能な嵌合溝を設けるとともに、この嵌合溝の奥部に、幕板の後端に突設した拡径頭部が上下方向に摺動可能に係合する係合溝を設け、前記脚柱の前方側は該嵌合溝より前方を向くほぼ角筒形の横断面形状とするとともに、その前端部に、前面が開口する上下方向を向く配線収納部を設け、該配線収納部の前面の開口部に、上下の端部が一部開口するカバー部材を取付けたことを特徴としている。
上記構成の本発明によれば、天板の後端の角部の下面を支持する脚注の横断面形状を、前方を向くほぼ角筒状とし、その前端部に、前面が開口する配線収納部を設け、かつその開口部にカバー部材を取付けたことにより、配線収納部は、天板の後端角部よりも前方に位置するため、その中への配線作業を、天板の下方に奥深く潜り込むことなく容易に行うことができる。また左右の幕板の後端をがたなく安定的に保持し得るとともに、拡径頭部を係合溝内に上方より落し込んで係合させるだけで、幕板の後端を脚柱に簡単に取付けることができる。
【０００７】
上記配線機能付き机において、カバー部材の裏面に、左右方向に弾性変形可能な１対の係合片を突設し、この両係合片を配線収納部内の左右の内面又は内面に突設した１対の係止片に弾性係合させることにより、カバー部材を配線収納部の開口部に着脱可能として取付けるのが好ましい。
このようにすると、カバー部材の着脱が容易となるので、配線収納部内へのコード類の配線作業も能率的となる。
【０００９】
【発明の実施の形態】
以下、本発明の実施形態を図面に基づいて説明する。
【００１０】
図１は、本発明の配線機能付き机を示すもので、天板１は、方形をなす天板の前方の角部に後方に円弧状に湾曲する切欠部２を有する平面視ほぼＬ字形に形成されている。
【００１１】
天板１における切欠部２を挟む前側の左右の２辺の下面は、コ字形をなす１対の側脚３，３により支持されている。また、天板１の後側の２辺が交差する後端角部の下面は、脚柱４により支持されている。
【００１２】
上記左右の側脚３の側端と脚柱４との間には、幕板５，５が取付けられている。
【００１３】
天板１の後側の両側端部上面に形成された開口部には、可撓性の多数の繊維を束ねて形成されたブラシ状の配線挿通部６，６が設けられている。また、配線挿通部６の直下の両幕板５の内側面には、樋状の配線ダクト７，７が取付けられている。
【００１４】
上記脚柱４は、図２及び図３に拡大して示すように、後端部がほぼ直角形状の角形断面をなす前後方向に長い概ね角筒状断面に形成され、その上端には、対角線の前方を向く天板１の支持アーム８が固着されている。
【００１５】
脚柱４は、例えばアルミニウム合金の押出し成形品よりなり、後端部の両側面には、幕板５の後端が嵌合可能な上下方向を向く嵌合溝９が、脚柱４の中心に対しほぼ４５゜傾斜させて形成されている。
【００１６】
幕板５の後端は、その後端面に螺挿した上下複数個の係止ねじ１０の拡径頭部１０ａを、嵌合溝９の奥面に形成された上下方向を向く係合溝１１に上方より挿入して係合させることにより、脚柱４に取付けられている。
【００１７】
脚柱４の前端部の内面には、内方を向き、かつ先端が前向きに折曲された１対の係止片１３，１３が対向状に連設され、前面が開口する平面視前向きコ字状の配線収納部１２が脚柱１４における前部に形成されている。詳しくは、中央に前記支持アーム８を固着するためのネジを螺入可能なネジ部が上端に形成される上下方向を向く支持部２３ａが形成された隔壁１４が脚柱１４の内部空間を前後に区画するように前方寄りに形成されており、この両係止片１３と隔壁１４との間が配線スペース１５となっている。なお、脚柱４の後端部内面にも、支持アーム８を固着するためのネジを螺入可能なネジ部が上端に形成される上下方向を向く支持部２３ｂが内向きに突設されている。
【００１８】
脚柱４の前端、すなわち配線収納部１２の前端開口部には、脚柱４の全長よりも若干短寸の前方に円弧状に湾曲する合成樹脂製のカバー部材１６が、その裏面の左右１対の弾性係合片１７，１７の後端の内向き突部１７ａを、上記両係止片１３の先端の外向き突部１３ａに弾性係合させることにより、図３に示すように、支持アーム８の直下に配線スペース１５内に連通する配線挿通口１８が形成されるようにして、着脱可能に取付けられている。
【００１９】
図４に示すように、カバー部材１６の下端部の中央には、縦長の配線取出口１９が形成されている。なお、脚柱４の下端は、高さ調節用のアジャスタ２０が取付けられた閉塞板２１により閉塞されている。
【００２０】
上記実施形態の配線機能付き机において、天板１に載置したＯＡ機器等のコード類２２は、図３に示すように、ブラシ状の配線挿通部６を通して配線ダクト７により支持したのち、カバー部材１６の上端の配線挿通口１８より脚柱４の配線収納部１２の配線スペース１５内に挿入し、カバー部材１６の下端の配線取出口１９より引き出すことができる。
【００２１】
この際、配線収納部１２内への配線作業を、カバー部材１６を取外して行うことにより、極めて容易となる。
【００２２】
このように、脚柱４の形状を、前後方向に長い角筒状断面として、その後端側の左右両側面の嵌合溝９に幕板５の後端を取付けるとともに、脚柱４の前端部に配線収納部１２を設け、かつその前端の開口部にカバー部材１６を着脱可能に取付けると、脚柱４が天板１の角部の最後端に位置していても、配線収納部１２は、角部よりも前方に位置するため、その中へのコード類２２の配線作業やカバー部材１６の着脱作業を、天板１の下方に奥深く潜り込むことなく容易に行うことができる。
【００２３】
また、配線スペース１５は、隔壁１４により脚柱４の内部空間における前部側に形成されているため、配線したコード類２２が、横断面形状がほぼ角筒形の脚柱４の内部に深く入り込んで、コード類２２の取出し出来なくなること等がない。
【００２４】
また、脚柱４の左右両側面に嵌合溝９を設けてあるため、左右の幕板５の後端をがたなく安定的に保持し得るとともに、嵌合溝９の奥面に形成した係合溝１１に、幕板５の端面の係止ねじ１０の拡径頭部１０ａを上方より落し込んで係合するだけで、脚柱４に幕板５の後端を簡単に取付けることができる。
【００２５】
【発明の効果】
本発明によれば、次のような効果を奏することができる。
【００２６】
（ａ）請求項１に記載の発明によれば、天板の後端の角部の下面を支持する脚注の横断面形状を、前方を向くほぼ角筒状とし、その前端部に、前面が開口する配線収納部を設け、かつその開口部にカバー部材を取付けたことにより、配線収納部は、天板の後端角部よりも前方に位置するため、その中への配線作業を、天板の下方に奥深く潜り込むことなく容易に行うことができる。また左右の幕板の後端をがたなく安定的に保持し得るとともに、拡径頭部を係合溝内に上方より落し込んで係合させるだけで、幕板の後端を脚柱に簡単に取付けることができる。
【００２７】
（ｂ）請求項２に記載の発明によれば、カバー部材の着脱が容易となるので、配線収納部内へのコード類の配線作業が能率的となる。
【図面の簡単な説明】
【図１】本発明の配線機能付き机を前方より見た斜視図である。
【図２】同じく、後端角部の拡大横断平面図である。
【図３】同じく、脚柱のの拡大側面図である。
【図４】同じく、脚注の下端部の正面図である。
【符号の説明】
１              天板
２              切欠部
３              側脚
４              脚柱
５              幕板
６              配線挿通部
７              配線ダクト
８              支持アーム
９              嵌合溝
１０            係止ねじ
１０ａ          拡径頭部
１１            係合溝
１２            配線収納部
１３            係止片
１３ａ          外向き突部
１４            隔壁
１５            配線スペース
１６            カバー部材
１７            弾性係合片
１７ａ          内向き突部
１８            配線挿通口
１９            配線取出口
２０            アジャスタ
２１            閉塞板
２２            コード類
２３ａ、２３ｂ  支持部
【図１】
0004598292.tif 000002
【図２】
0004598292.tif 000003
【図３】
0004598292.tif 000004
【図４】
0004598292.tif 000005